(57)【要約】【課題】ＬＰガス・都市ガスの給湯器・貯湯器及び電気貯湯器の全体及び部品に酸化チタン光触媒を吹き付ける、塗布する、浸漬すると湯が超温湯になる。酸化チタン光触媒は、斥力があり、持続する。【解決の手段】給湯器・貯湯器及び電気貯湯器を超温給湯器・超温貯湯器・電気超温貯湯器に変えて超温湯になる。【選択図】図２
2017150793.tif 000002
【特許請求の範囲】
【請求項１】
超温給湯器には、酸化チタン、超イオン伝導体物質をＬＰ・都市ガス・電気貯湯給湯器など給湯器のバーナー・ヒーター（燃焼部）及びパイプ（配管）又は機器部品に酸化チタンを吹き付ける、塗る、浸ける、巻く、不燃部につける。
給湯器のバーナー・ヒーター又はパイプ・部品に酸化チタンを霧状にして吹きつける。
給湯器のバーナー・ヒーター又はパイプ・部品に酸化チタンを塗布する。
給湯器のバーナー・ヒーター又はパイプ・部品に酸化チタンを浸漬する。
給湯器の不燃部に塗布及び、浸漬する、混ぜる、巻く。
家庭用・業務用の給湯機器類、酸化チタンを以上の施工をする。
【発明の詳細な説明】
【技術分野】
【０００１】この発明は、給湯器ＬＰ・都市ガス・電気貯湯器に酸化チタン（超イオン伝導体）を吹き付ける又は、塗布する、部品に混ぜる。湯をイオン化した超温湯である。給湯器のバーナー・ヒーター（燃焼部）・パイプに酸化チタンを霧状にして吹き付ける又は、塗布する、浸漬する、混ぜる、テープでまく。湯が超イオンを帯びたお湯である。
【背景技術】
【０００２】従来、給湯器からでる湯は、単なる水道水を熱で温めて湯にしたものであった。超温給湯器は、酸化チタンを霧状にして吹き付ける、塗布する、混ぜる、テープで巻く、部品加工にする。バーナー・ヒーター・パイプ・部品を、熱すると湯がイオン化した超温湯になる。
【先行技術文献】
【特許文献】
【０００３】なし
【発明の概要】
【発明が解決しようとする課題】
【０００４】これは次のような点に気が付いた。風呂場で身体を洗う時、寒い感じがあった。これを解決するためにはどのようにすれば良いか。従来の、給湯器は、水道から水が入って、給湯器で沸かして、湯が出るだけであった。寒冷期になると入浴時に体が冷えて寒さを感じた。高齢になると特に、体温には気を付けなければいけない、病の原因になる。温泉の湯は、なぜ、ぽかぽかとイオン化してぬくもりを感じるのか。温泉に入ったような、温かさを体感することはできないか。
本発明は、以上のような点を解決するためになされたものである。
【課題を解決するための手段】
【０００５】（１）酸化チタンで水をイオン化して、温湯にする方法を考えた。
（２）ＬＰ・都市ガス給湯器のバーナー（燃焼部）・電気のヒーター（燃焼部）又はパイプ（配管）に、酸化チタン（超イオン伝導体）を霧状にして吹き付ける。
（３）バーナー・ヒーター又はパイプの部分に塗る、浸漬する、巻く。イオン化して、湯の質が超温湯にする。
本発明は、以上の構成よりなる超温給湯器である。
【発明の効果】
【０００６】超温給湯器の製品は、このような構成です。その結果、このように新しい「発明の効果」が生まれた。給湯器のバーナー・ヒーター及び湯送パイプに酸化チタン（超イオン伝導体）を霧状にして吹き付けることで、湯が常時、イオン化された超温湯がでる。
１  身体を洗う時などに従来だと、寒さを感じていたのが解消された。
２  髭剃りは、時間が掛かる、その間の冷えがなくなった。
３  湯気にイオンが充満して風呂場全体が温かくなった。
４  イオンの斥力で湯槽の垢が付きにくく掃除が楽になった。
５  風呂場全体の掃除をすることで、清潔になり掃除が楽しくなった。
【図面の簡単な説明】
【０００７】
【図１】  本説明の作動原理図である。
【図２】  本説明の瞬間式、酸化チタン熱交換器図である。
【図３】  本説明の貯湯式熱交換器図である。
【発明を実施するための形態】
【０００８】  以下、本発明を実施するための形態について説明する。
超温給湯器（１）給湯器に酸化チタン（超イオン伝導体）をバーナー・ヒーター及びパイプにスプレーで霧状にして吹き付ける。
（２）給湯器のバーナー・ヒーター及びパイプ・部品に刷毛で塗る。
（３）取り付ける前に給湯器全体に希釈した酸化チタン液を浸けて乾かす。
（４）金属以外の材料（燃やせない部品）に、吹き付ける、塗る、浸漬、巻く、加える等を施工する。（例えば、樹脂・プラスチック、断熱材など燃える部分である。）
（５）使用中の給湯器を施工できる。
水道水が給湯器を通ってバーナー・ヒーターで熱せられて、湯が、超イオン化された超温湯になる。
【符号の説明】
【０００９】１  給湯器のヒーターに酸化チタンを霧状にして吹きつける。
２  給湯器のヒーター及びパイプに酸化チタンを塗布する。
３  施工する前に給湯器に、希釈した酸化チタン液に浸けて乾かす。
４  燃やせない材料、樹脂、プラスチック、断熱材製品、粘着剤、機材など一切の材料である。
５  現在使用している給湯器に簡単に吹き付け施工することできる。
【図１】
2017150793.tif 000003
【図２】
2017150793.tif 000004
【図３】
2017150793.tif 000005
【手続補正書】
【提出日】平成28年5月26日(2016.5.26)
【手続補正１】
【補正対象書類名】明細書
【補正対象項目名】全文
【補正方法】変更
【補正の内容】
【発明の詳細な説明】
【技術分野】
【０００１】この発明は、ＬＰガス・都市ガス給湯器・貯湯器及び電気貯湯器に酸化チタン光触媒を吹き付ける又は、塗布する、部品製造に混ぜる。湯をイオン化して超温湯である。ガス給湯器・貯湯器及び電気貯湯器の全体、又はヒーター・パイプに酸化チタン光触媒を霧状にして吹き付ける又は、塗布する、部品加工、製品に付けると超温湯になる。
【背景技術】
【０００２】従来、各メーカーの給湯器・貯湯器及び電気貯湯器は、単なる水又は水道水を熱で温めた湯であった。
【先行技術文献】
【特許文献】
【０００３】
【発明の概要】
【発明が解決しようとする課題】
【０００４】これは次のような点に気が付いた。風呂場で身体を洗う時、寒い感じがあった。
これを解決するためにはどのようにすれば良いか。従来の、給湯器は水道から水が入って湯が出た。寒冷期になると体が冷えて寒さを感じた。高齢になると特に、冷えには気を付けなければいけない、病気の原因になる。温泉の湯はなぜ、ポカポカとイオン化して温もりを感じる。温泉に入ったような、暖かい良い方法は無いかと思った。超温給湯器は、酸化チタン光触媒を霧状にして吹き付ける、塗布する、混ぜる。樹脂につけると湯がイオン化して超温湯になり体が温まる。
本発明は、以上のような点を解決するためになされたものである。
【課題を解決するための手段】
【０００５】（１）給湯器のＬＰガス・都市ガス・電気貯湯器のヒーター（燃焼部）又は配管に、酸化チタン光触媒を霧状（スプレー）にして吹き付ける。
（２）給湯器本体のヒーター又はパイプや加工部品に塗布する、混ぜる、浸漬する、樹脂につける。湯が変わり超温湯になる。
（３）酸化チタン光触媒は、斥力があり持続する。水道の水が超温湯になる。
本発明は、以上の構成よりなる超温給湯器である。
【発明の効果】
【０００６】超温給湯器は、なぜ湯が超温湯になるのか、このような構成です。
その結果、新しい「発名の効果」が生まれた。給湯器全体又はヒーター・輸送パイプに酸化チタン光触媒を吹き付けることで、湯が超温湯に変った。
酸化チタン光触媒を霧状にして吹き付けることで、超温湯が出る。
１  従来だと、冬には入浴時、寒さを感じていたが、超温湯は温かみを感じた。
２  冬場に風呂場で、ひげそりに体が冷えたが、風呂場全体が温かくなった。
３  酸化チタン光触媒は殺菌力があり、除菌効果があり、清潔になる。
４  酸化チタン光触媒は、脱臭力があり、加齢臭がなくなる。
５  酸化チタン光触媒は磁力があり、湯垢がつきにくいので掃除が楽になる。
６  風呂場の掃除の時間が短縮できて楽になった。
７  酸化チタン光触媒は、磁力があり、薄めて吹き付けても持続性がある。
【図面の簡単な説明】
【０００７】
【図１】  本説明の図は作動原理図である。
【図２】  本説明の図は瞬間式の図である。
【図３】  本説明の図は貯湯式熱交換器の図である。
【発明を実施するための形態】
【０００８】以下、本発明を実施するための形態について説明する。
給湯器及び電気貯湯器
（１）給湯器の金属部分に酸化チタン光触媒を霧状にして吹き付ける。
（２）全体及びヒーターに塗布する。
（３）給湯器の金属部分を浸漬する。
（４）合成樹脂など部品に及び装置に浸漬する。
（５）給湯器・貯湯器・電気貯湯器の全体及びヒーターに酸化チタン光触媒をつける。
水又は水道水が給湯器・貯湯器及び電気貯湯器を通った湯が、超温湯になる。
【符号の説明】
【０００９】（１）給湯器のヒーター（燃焼部）又は金属パイプに酸化チタン光触媒を霧状にして吹き付ける。
（２）給湯器のヒーター又は、金属パイプに酸化チタン光触媒を塗布する。
（３）給湯器の金属部品に酸化チタン光触媒液に浸漬する。
（４）合成樹脂部品に酸化チタン光触媒をつける。
（５）ガス貯湯器及び電気貯湯器の全体及びヒーターに酸化チタン光触媒を吹き付ける、塗布する、浸漬する。
【手続補正２】
【補正対象書類名】特許請求の範囲
【補正対象項目名】全文
【補正方法】変更
【補正の内容】
【特許請求の範囲】
【請求項１】
超温給湯器には、酸化チタン光触媒をＬＰガス・都市ガス・ガス貯湯器・電気貯湯器の全体及びヒーター・パイプ又は、全部品に酸化チタン光触媒液を霧状にして吹きつける。湯がイオン化されて、超温湯になる。
給湯器・貯湯器及び電気貯湯器の全体及び部品に酸化チタン光触媒を浸漬する。
床暖房の部品に酸化チタン光触媒を酸化チタン光触媒を霧状にして吹き付ける、又は塗布する、浸漬する。
酸化チタン光触媒は、食品添加物にあり、製造するときに安全で安心して使える。
【手続補正４】
【補正対象書類名】図面
【補正対象項目名】全図
【補正方法】変更
【補正の内容】
【図１】
2017150793.tif 000006
【図２】
2017150793.tif 000007
【図３】
2017150793.tif 000008